(57)【特許請求の範囲】
【請求項１】
複数の耐張支持区間を一延線区間として延線するために複数本のプレハブ電線を割ワイヤを介して一連続に連結してなる完全プレハブ架線工法用のプレハブ電線連を巻き取る電線ドラムであって、
胴部上の整列巻き電線の上に置かれる周面仕切り部とこの周面仕切り部のドラム幅方向の一端部から垂直に立ち上がる幅仕切り部とからなる多層巻き用仕切り部材を、ドラム周方向に間隔をあけて複数設けたことを特徴とする完全プレハブ架線工法用のプレハブ電線連を巻き取る電線ドラム。
【請求項２】
複数の耐張支持区間を一延線区間として延線するために複数本のプレハブ電線を割ワイヤを介して一連続に連結してなる完全プレハブ架線工法用のプレハブ電線連を電線ドラムに巻き取る電線ドラムへの電線巻き取り方法であって、
胴部における１つの区画に一耐張支持区間用の１条目電線を整列巻きで巻き取る第１工程と、胴部上の整列巻き電線層の上に置かれる周面仕切り部とこの周面仕切り部のドラム幅方向の一端部から垂直に立ち上がる幅仕切り部とからなる多層巻き用仕切り部材を、前記１条目電線の整列巻き層の上にドラム周方向に間隔をあけて複数配置しながら、この多層巻き用仕切り部材の周面仕切り部上に、１条目電線の後端の圧縮形引留クランプおよび２条目電線の先端の圧縮形引留クランプを含めた割ワイヤ近傍を巻き取る第２工程と、前記多層巻き用仕切り部材の幅仕切り部の外側における１条目電線の整列巻き層の上に２条目電線を巻き取る第３工程とを有することを特徴とする電線ドラムへの電線巻き取り方法。
【請求項３】
前記第３工程の際に、１条目電線の整列巻き層の上に、当該整列巻き電線の表面の凹凸の影響を受けない剛性を持つ板またはシートからなる縁切り層を設けた後、前記縁切り層の上に２条目電線を巻き取ることを特徴とする請求項２記載の電線ドラムへの電線巻き取り方法。
【発明の詳細な説明】
【０００１】
【発明の属する技術分野】
この発明は、複数の耐張支持区間を一延線区間として延線するために複数本のプレハブ電線を割ワイヤを介して一連続に連結してなる完全プレハブ架線工法用のプレハブ電線連を巻き取る電線ドラム、および、前記プレハブ電線連を電線ドラムに巻き取る電線ドラムへの電線巻き取り方法に関する。
【０００２】
【従来の技術】
近年、電線の両端に圧縮形引留クランプを圧縮接続してなるプレハブ電線を用いて延線を行う１耐張支持区間の完全プレハブ架線工法とともに、さらに省力化を図るものとして、複数の耐張支持区間を一延線区間として延線する完全プレハブ架線工法が実用化されている。なお、耐張支持区間とは、架空送電線路における隣接する耐張鉄塔間の区間を指し、中間に懸垂鉄塔がある場合も含む。
この場合、図１２（イ）、（ロ）に示すように、複数の耐張支持区間に合わせた複数のプレハブ電線１を順に割ワイヤ２を介して一連続に連結してなるプレハブ電線連３を用いて延線を行う。プレハブ電線１は両端に圧縮形引留クランプ４を圧縮接続したものであり、図示例では緊線作業を容易にするための連結用金具５を連結している。また、６は割ワイヤ２を連結するワイヤコネクタである。
なお、以下の説明で、プレハブ電線連３に含まれるプレハブ電線１の数を条として表現する。すなわち、図１２に示したプレハブ電線連３は３耐張支持区間用として図示しており、この場合は、第１条目のプレハブ電線１（１条目電線１ａ）と第２条目のプレハブ電線１（２条目電線１ｂ）と第３条目のプレハブ電線１（３条目電線１ｃ）とからなる３条であり、したがって、この３条からなるプレハブ電線連３を巻き取る電線ドラムは３条巻きとなる。また、各条の先端、後端の圧縮形引留クランプ４は、後述の説明においては場合により、４ａ、４ａ'、４ｂ、４ｂ’等と区別して示す。また、割ワイヤ１も場合により、１条目電線１ａと２条目電線１ｂとの間の割ワイヤを１ａ、２条目電線１ｂと３条目電線１ｃとの間の割ワイヤを１ｂと区別して示す。
【０００３】
この種のプレハブ電線連３を巻き取る電線ドラムとして本願発明者は先に、図１３（イ）、（ロ）に示すように、仕切り板８により胴部９をドラム幅方向に仕切って複数の区画を形成するとともに、前記プレハブ電線連３における圧縮形引留クランプ４の口元近傍の電線損傷を防止するための固定クランプ置き台１０および可動クランプ置き台１１を設けた電線ドラム１２（特許第２７８４７２３号（特開平７−３３６８２５号）等参照）等の電線ドラムを提案している。
【０００４】
【発明が解決しようとする課題】
ところで、上記の完全プレハブ架線工法に用いるプレハブ電線連３を巻き取る電線ドラム１２は、収容する電線の巻き量を最大とするためにトラック輸送上の高さ制限の上限の大きさのものが一般に使用されている。また、仕切り板８による分割数は２〜３分割のものが一般的である。さらに、この電線ドラム１２は、仕切り板８やクランプ置き台１０、１１を設けたことで構造が複雑になり価格は高いものとなる。このような事情から、完全プレハブ架線工法に用いるこの種の電線ドラムは、全てを上記のように上限サイズで２〜３分割という一種類ないし限られた種類の電線ドラムで兼用するのが一般的である。
【０００５】
一方、適用する送電線の規模により鉄塔間の径間長は大幅に変化し、例えばＵＨＶ送電線においては平均径間長が６００〜７００ｍであるのに対し、２７５ｋＶ送電線においては３００〜４００ｍであり、大規模送電線に用いる例えば３分割等の電線ドラムを規模の小さい送電線に適用する場合は、電線ドラム当りの電線巻き量が大幅に低下し、電線の巻き空きが増加することになる。小規模送電線においても、電線ドラム自体の大きさは変わらないから、電線ドラムの保管場所、運搬費、および延線における電線ドラムのかけ換え（１つの延線区間を終了した時に行う次の延線区間用の電線ドラムへの交換）等が大規模送電線と同一であり、電線単位長当りのコストが増大することになり、小規模送電線への完全プレハブ架線工法の適用が難しくなる欠点がある。
【０００６】
このような場合、一延線区間で延線する耐張支持区間の数を増すことが、したがって、電線ドラムの分割数（区画数）を増すことが、小規模送電線の工事のコストを下げるために有効であるが、電線ドラムの分割数を４分割以上に増す場合、既存の２〜３分割の電線ドラムに仕切り板を追加するにしても、新規に製作するにしても、高価な電線ドラムがさらに高価になってしまう。
また、既存の電線ドラムに仕切り板を追加する場合は、延線時に電線ドラムを収容するとともに電線ドラムに制動力を与えるためのドラム架台の横幅に制限があるため、追加する仕切り板の厚み分の横幅減少とともに区画数増加のため各区画の幅が狭くなり、電線製造時に電線が仕切り板と接触し、外傷が発生する恐れがある。また、各区画内へのクランプ置き台等の各種台座等の取付けおよび整列巻きのための幅合せ作業が困難となるという欠点もある。
【０００７】
本発明は上記従来の欠点を解消するためになされたもので、複数の耐張支持区間を一延線区間として延線する完全プレハブ架線工法用のプレハブ電線連を巻き取る電線ドラムとして、既存の電線ドラムを利用することができるとともに、多層巻きとすることで電線ドラムの区画数を実質的に増やして、電線ドラムに巻き空きが生じることを極力少なくし、これにより完全プレハブ架線工法を安価なコストで小規模送電線に適用することを可能にする、完全プレハブ架線工法用のプレハブ電線連を巻き取る電線ドラムおよび該電線ドラムへの電線巻き取り方法を提供することを目的とする。
【０００８】
【課題を解決するための手段】
上記課題を解決する請求項１の発明は、複数の耐張支持区間を一延線区間として延線するために複数本のプレハブ電線を割ワイヤを介して一連続に連結してなる完全プレハブ架線工法用のプレハブ電線連を巻き取る電線ドラムであって、
胴部上の整列巻き電線の上に置かれる周面仕切り部とこの周面仕切り部のドラム幅方向の一端部から垂直に立ち上がる幅仕切り部とからなる多層巻き用仕切り部材を、ドラム周方向に間隔をあけて複数設けたことを特徴とする。
【０００９】
請求項２は、複数の耐張支持区間を一延線区間として延線するために複数本のプレハブ電線を割ワイヤを介して一連続に連結してなる完全プレハブ架線工法用のプレハブ電線連を電線ドラムに巻き取る電線ドラムへの電線巻き取り方法であって、
胴部における１つの区画に一耐張支持区間用の１条目電線を整列巻きで巻き取る第１工程と、胴部上の整列巻き電線層の上に置かれる周面仕切り部とこの周面仕切り部のドラム幅方向の一端部から垂直に立ち上がる幅仕切り部とからなる多層巻き用仕切り部材を、前記１条目電線の整列巻き層の上にドラム周方向に間隔をあけて複数配置しながら、この多層巻き用仕切り部材の周面仕切り部上に、１条目電線の後端の圧縮形引留クランプおよび２条目電線の先端の圧縮形引留クランプを含めた割ワイヤ近傍を巻き取る第２工程と、前記多層巻き用仕切り部材の幅仕切り部の外側における１条目電線の整列巻き層の上に２条目電線を巻き取る第３工程とを有することを特徴とする。
【００１０】
請求項３は、請求項２の電線ドラムへの電線巻き取り方法における第３工程の際に、１条目電線の整列巻き層の上に、当該整列巻き電線の表面の凹凸の影響を受けない剛性を持つ板またはシートからなる縁切り層を設けた後、前記縁切り層の上に２条目電線を巻き取ることを特徴とする。
【００１１】
【発明の実施の形態】
以下、本発明の実施の形態を図１〜図１２を参照して説明する。本発明は、複数の耐張支持区間を一延線区間として延線するために複数本のプレハブ電線を割ワイヤを介して一連続に連結してなる完全プレハブ架線工法用のプレハブ電線連を巻き取る電線ドラムに関するものであるが、この実施形態で対象とするプレハブ電線連は例えば先に説明した図１２に示すような構造であり、このプレハブ電線連３の再度の説明は省略する。
【００１２】
図１に本発明の一実施形態の電線ドラム２０のドラム本体２１を示す。本発明は既存の電線ドラムを利用できるものであり、したがって、図１に示した本発明の一実施形態の電線ドラム２０のドラム本体２１自体は、図１３に示した従来の電線ドラム１２と基本的に同じである。すなわち、ドラム本体２１は、仕切り板２２により胴部２３をドラム幅方向に仕切って例えば図示例では３つの区画を形成するとともに、前記プレハブ電線連３における圧縮形引留クランプ４の口元近傍の電線損傷を防止するためのクランプ置き台として、固定クランプ置き台２４を鍔２６に固定し、可動クランプ置き台２５を円周方向に位置調節可能に仕切り板２２に取り付けている。２７は軸穴である。
【００１３】
本発明の電線ドラム２０は、既存の電線ドラム（すなわちドラム本体２１）に加えて、図１に２点鎖線で示すように多層巻き用仕切り部材３３を用いるものである。
この多層巻き用仕切り部材３３は、図２、図１０等にも示すように、胴部２３上の既巻き付け電線層の上に置かれる周面仕切り部３１とこの周面仕切り部３１のドラム幅方向の一端部から垂直に立ち上がる幅仕切り部３２とからなる構造であり、図６にも示すように、ドラム周方向に間隔をあけて複数配置する。
【００１４】
図２は図１のＡ部に電線を巻き付けた状態で示したもので、上記の多層巻き用仕切り部材３３を用いて行う本発明の電線巻き取り方法は、例えば次の手順で行う。ここで、電線という場合、電線全体としていう場合はプレハブ電線連３であり、部分的にいう場合はプレハブ電線１（１ａ、１ａ'、１ｂ、１ｂ'、１ｃ…）ないし送電線（撚線導体）を指す。
▲１▼まず、電線ドラム２０の胴部２３の鍔２６と仕切り板２５との間の最初の区画に、一延線区間に含まれる複数の耐張支持区間における最初の耐張支持区間用の電線すなわち１条目電線１ａを整列巻きする。
この整列巻きされた１条目電線１ａの層を整列巻き電線層（または整列巻き層）と呼ぶ。なお、この場合、１条目電線１ａの先端の圧縮形引留クランプ４ａ（図１２参照）を固定クランプ置き台２４上に乗せて（図示略）から整列巻きする。また、圧縮形引留クランプをクランプ置き台等に乗せるという場合、実際には連結用金具６も合わせて乗せるが、言及は省略する。
▲２▼次いで、前記１条目電線１ａの整列巻き層の上に、前記多層巻き用仕切り部材３３を、図６に示すようにドラム周方向に間隔をあけて複数配置する。これにより、多層巻き用仕切り部材３３の外側（幅仕切り部３２の外側（図２で右側））に２条目電線１ｂを巻き取るための新しい区画が形成されるとともに、多層巻き用仕切り部材３３の内側（図２で左側）に、圧縮形引留クランプおよび割ワイヤを収容する空間が形成される。そこで、多層巻き用仕切り部材３３を前述の通り円周方向に配置しながら、多層巻き用仕切り部材３３の内側で周面仕切り部３１の上から、１条目電線１ａの後端の圧縮形引留クランプ４ａ'および２条目電線１ｂの先端の圧縮形引留クランプ４ｂを含めた割ワイヤ２ａの近傍を巻き取る。なお、各圧縮形引留クランプ４ａ'、４ｂはゴム製のプロテクタ４０の上に乗せて巻き取る。
なお、図２における圧縮形引留クランプ４ａ'、４ｂ、４ｂ'等は、図６のような配置であれば、図２のように同一断面に表れないが、多層巻き用仕切り部材３３の内側に配置されることを模式的に示したものである。
▲３▼次いで、前記多層巻き用仕切り部材３３の外側に形成された前記新しい区画の１条目電線１ａの整列巻き層の上に２条目電線１ｂを巻き取る。
▲４▼次いで、３条目電線１ｃを、仕切り板２２で仕切られた次の区画に巻き取る。この場合、２条目電線１ｂの後端の圧縮形引留クランプ４ｂ'を２条目電線１ｂの整列巻き層の上にプロテクタ４０を介して乗せ、割ワイヤ２ｂを巻いた後、３条目電線１ｃの先端の圧縮形引留クランプ４ｃを可動クランプ置き台２５に載せ（図示せず）、その後３条目電線１ｃを前記次の区画に巻き取る。
以下、同様にして、プレハブ電線連３に含まれる各条の電線（プレハブ電線１）を電線ドラム２０の胴部２３の所定の区画に順次巻き取っていく。図１に示した３区画（３分割）の電線ドラム２０の場合、通常は各区画毎に２層巻きできるので、合計６条巻きすることが可能である。ただし、１つの耐張支持区間の長さが長く、１条の電線が１つの区画を占める場合も当然ある。
【００１５】
なお、多層巻き用仕切り部材３３の内側には、通常は、圧縮形引留クランプ４ａ'、４ｂおよび割ワイヤ２ａの外、図２に示すように１条目電線１ａの後端部分１ａ'が巻き取られることになるが、この後端部分１ａ'は、本来１条目電線１ａの当該区画における最終層に相当するものである。したがって、当該区画における１条目電線１ａの端末部の位置（幅方向位置）によっては、図３に示すように反対側（固定クランプ受け台２４側）に向けて多層巻き用仕切り部材３３を設置することもできる。
【００１６】
上記電線ドラム２０の図２に示された断面位置から円周方向にずれた位置で、圧縮形引留クランプ４ａ'、４ｂのない部分の断面を図４に示す。
また、１条目電線１ａの当該区画における最終層が当該区画に一致した時は、多層巻き用仕切り部材３３の内側に１条目電線１ａの後端部分を巻き取る必要がないので、図５に示すように、多層巻き用仕切り部材３３の内側には割ワイヤ２ａだけが配置されることになる。
【００１７】
前述の多層巻き用仕切り部材３３を配置していく状況を図６を参照してさらに補足説明すると、多層巻き用仕切り部材３３は、前述の通り、１条目電線１ａが当該区画における完全最終層（当該区画幅全体を覆う最終層）を形成した後、円周方向に間隔をあけて配置していくが、その作業は、１条目電線１ａの後端部分１ａ'または割ワイヤ２ａ部分の巻き取り時に多層巻き用仕切り部材３３を順次配置していくと共に、周面仕切り部３１の上に巻かれた１条目電線１ａの後端部分１ａ'または割ワイヤ２ａにより固定されることになる。なお、図６において、割ワイヤ２ａは実際には例えば２〜３回巻かれるが、図では長さを略している。
また、２条目電線１ｂの先端に設けられている圧縮形引留クランプ４ｂに係止されている当該２条目電線１ｂは、円周方向に並ぶ多層巻き用仕切り部材３３間の隙間（図６の矢印（イ））から、多層巻き用仕切り部材３３の外側に形成された２条目電線１ｂ用の新区画に巻き取られることになる。
【００１８】
図７に多層巻き用仕切り部材３３の内側に設置する圧縮形引留クランプ４（４ａ'、４ｂ等）および連結用金具５の設置状況を示す。圧縮形引留クランプ４の口元付近の電線の過度の曲りおよび連結用金具５による整列巻き電線（下巻き電線）１ａへの外傷を防止するために、整列巻き電線の上（または周面仕切り部３１の上）に前述したゴム製のプロテクタ４０を配置し、このプロテクタ４０の上面の溝に圧縮形引留クランプ４および連結用金具５を乗せる。図示例の連結用金具５は、特殊直角クレビスリンク５ａの両側に直角クレビスリンク５ｂを持つ構成である。また、４１は圧縮形引留クランプ４の口元付近の電線の過度の曲がりを保護する口元保護具である。
【００１９】
また、２条目電線１ｂを、多層巻き用仕切り部材３３の外側に形成された新区画の１条目電線１ａの最終層の上に直接巻き取る場合、図８（ロ）に示すように１条目電線１ａの最終層で形成される隣り合う電線間に２条目電線１ｂが俵積みされることになる。このため、２条目電線１ｂの整列巻き最下層の両側に隙間が生じ、２条目電線１ｂをさらに整列巻きしていくと、多層巻き用仕切り部材３３と２条目電線１ｂの間に図示のように隙間（Ｂで示す範囲）が生ずる可能性が高く、その結果、２条目電線１ｂに矢印ａのように段落ちが発生することになって整列巻きが不可能になるおそれがある。
これを防止するために、図８（イ）に示すように、１条目電線１ａの整列巻き電線層の上に、新しい区画幅に合致する幅を持ち、当該整列巻き電線１ａの表面の凹凸の影響を受けない剛性を持つ板またはシートからなる縁切り層４５を設けた後、前記縁切り層４５の上に２条目電線１ｂを巻き取るようにするとよい。この縁切り層４５は、電線間の凹凸の影響を受けない剛性を考慮した場合、例えば、厚さ５mm〜２５mm程度のプラスチックまたは硬貭ゴム製の板またはシートを用いるとよい。
【００２０】
図９に示すように、多層巻き用仕切り部材３３'と一体に縁切り層４５'を形成してもよい。
【００２１】
多層巻き用仕切り部材３３には２条目電線１ｂの巻き取りによる側圧が作用するため、多層巻き用仕切り部材３３の内側に、図１１に示すような転倒防止のため仕切り板押え４６を、図１０（ロ）に２点鎖線で示すように配置するとよい。この場合、多層巻き用仕切り部材３３の内側に圧縮形引留クランプ４ａ’、４ｂ、割ワイヤ２ａおよび１条目電線１ａの後端部分１ａ'を巻き込んだ後、この仕切り板押さえ４６を図１０（ロ）のように、多層巻き用仕切り部材３３の上部に嵌合させると、仕切り板押さえ４６は多層巻き用仕切り部材３３に作用する側圧による摩擦力で、図１０の状態に保持され、有効に転倒防止の機能を果たす。なお、多層巻き用仕切り部材３３および仕切り板押え４６はプラスチックにより製造されるのが好ましい。
【００２２】
なお、上述の説明のように、プレハブ電線連３の各プレハブ電線１間は割ワイヤ２で連結するのが本来であるが、電線の延線現場において割ワイヤ２を取付けることも可能なので、その場合には、工場において一連続で巻き取るために連結ロープ等で仮に連結したものを、本発明の電線ドラムの対象とすることを除外するものではない。
【００２３】
また、本発明は、仕切り板を持たない単に１区画だけの既存の電線ドラムにも適用することができる。この場合、１区画だけの通常の電線ドラムを、多層巻き用仕切り部材３３を用いることで、２条巻き等とすることができる。
【００２４】
【発明の効果】
本発明によれば、多層巻き用仕切り部材を用いることにより電線ドラムの１つの区画を例えば２層巻きとすることが可能であり、既存の電線ドラムの分割数を実質的に増すことを安いコストで容易に実現できる。
したがって、大規模送電線の完全プレハブ架線工法に用いる例えば２〜３分割数程度の大型の既存の電線ドラムでも、これを小規模送電線の架線工事用に更に実質的な分割数を増して、電線ドラムに巻き空きが生じることを極力少なくすることができると同時に、一延線区間内の耐張支持区間数を増すことが可能となる。したがって、電線ドラムの保管場所、運搬費、および延線における電線ドラムのかけ換え（１つの延線区間を終了した時に行う次の延線区間用の電線ドラムへの交換）等の無駄をなくすことができ、電線単位長当りのコストを大幅に低減することができ、完全プレハブ架線工法の小規模送電線への適用が容易になる。
【００２５】
また、電線ドラムの分割数を増すことに伴って大幅なコストアップを招くことがないとともに、仕切り板を追加する方法と異なり、既存の電線ドラムの区画の幅が狭くなるという問題は発生せず、電線製造時に電線が仕切り板と接触し、外傷が発生したり、また、各区画内へのクランプ置き台等の各種台座等の取付けおよび整列巻きのための幅合せ作業が困難となるという問題も生じない。
【図面の簡単な説明】
【図１】本発明の一実施形態の電線ドラムの電線を巻き取る前の正面図である。
【図２】図１の電線ドラムに電線を巻き取る要領を説明するもので、図１の電線ドラムに３条目電線の先端近傍まで巻き取った段階で示した図１のＡ部の模式的な断面図である。
【図３】図２において、多層巻き用仕切り部材を向きを変えて設置する場合を示す図である。
【図４】上記電線ドラムの図２に示された部分から円周方向にずれた圧縮形引留クランプのない部分の断面図である。
【図５】上記電線ドラムの図３に示された部分から円周方向にずれた圧縮形引留クランプのない部分の断面図であって、１条目電線の当該区画における最終巻き層が当該区画幅に一致した場合のものである。
【図６】上記の電線ドラムにおいて、１条目電線の整列巻き層上で多層巻き用仕切り部材を円周方向に間隔をあけて配置した状況を説明する図であり、図１のＢ−Ｂ断面図に相当する。
【図７】多層巻き用仕切り部材の内側に配される圧縮形引留クランプおよび連結用金具の設置状況を説明する図である。
【図８】（イ）は縁切り層を設ける場合の実施形態を説明するもので、図３に相当する断面図、（ロ）は縁切り層を設けない場合の問題を説明する断面図である。
【図９】多層巻き用仕切り部材に縁切り層を一体に設けた実施形態を示すもので、（イ）は多層巻き用仕切り部材の正面図、（ロ）は同右側面図である。
【図１０】上記多層巻き用仕切り部材の具体的な実施例を示すもので、（イ）は平面図、（ロ）は正面図、（ハ）は右側面図であり、合わせて、この多層巻き用仕切り部材の転倒防止のための仕切り板押さえの配置要領を２点鎖線で示している。
【図１１】上記の多層巻き用仕切り部材の転倒防止のために仕切り板押さえを示すもので、（イ）は平面図、（ロ）は正面図である。
【図１２】上記の電線ドラムで巻き取るプレハブ電線連の一例を説明する側面図である。
【図１３】（イ）は従来の電線ドラムの正面図、（ロ）は右側面図である。
【符号の説明】
１  プレハブ電線
１ａ  １条目電線（プレハブ電線）
１ｂ  ２条目電線
１ｃ  ３条目電線
２  割ワイヤ
２ａ  １条目電線と２条目電線との間の割ワイヤ
２ｂ  ２条目電線と３条目電線との間の割ワイヤ
３  プレハブ電線連
４  圧縮形引留クランプ
４ａ'  １条目電線の後端部の圧縮形引留クランプ
４ｂ  ２条目電線の先端部の圧縮形引留クランプ
４ｂ'  ２条目電線の後端部の圧縮形引留クランプ
４ｃ  ３条目電線の先端端部の圧縮形引留クランプ
５  連結用金具
２０    電線ドラム
２１  電線ドラム本体部
２２  仕切り板
２３  胴部
２４  固定クランプ置き台
２５  可動クランプ置き台
２６  鍔
４０  プロテクタ
４５  縁切り層
【図１】
0004046171.tif 000002
【図２】
0004046171.tif 000003
【図３】
0004046171.tif 000004
【図４】
0004046171.tif 000005
【図５】
0004046171.tif 000006
【図６】
0004046171.tif 000007
【図７】
0004046171.tif 000008
【図８】
0004046171.tif 000009
【図９】
0004046171.tif 000010
【図１０】
0004046171.tif 000011
【図１１】
0004046171.tif 000012
【図１２】
0004046171.tif 000013
【図１３】
0004046171.tif 000014